(57)【要約】【課題】別部材のスプーンを準備する必要がなく、また、スプーン貼付け用の設備を必要としないスプーン一体型の紙製密封容器を提供すること。【解決手段】一枚の板紙を打ち抜いて得られるブランクシート（１０）を組み立ててなる紙製密封容器であり、該ブランクシート（１０）にスプーン部材（２０）が組み込まれている。組み込み箇所は、前面板（１１）、天面板折り返し片（１５）、折り込み片（１６）、側面板（１１１）が好ましい。【選択図】図１
2004026232.tif 000002
【特許請求の範囲】
【請求項１】
一枚の板紙を打ち抜いて得られるブランクシートを組み立てて成る紙製密封容器であり、該ブランクシートにスプーン部材が組み込まれていることを特徴とする、スプーン一体型紙製密封容器。
【請求項２】
前記紙製密封容器は、前面板、底面板、裏面板、天面板がそれぞれ折り曲げ線を介して連設されてなり、天面板の先端は折り曲げ線を介して前面板の表面側を覆う天面板折り返し片が形成され、前面板の先端縁には内方に折り返されて折り込み片が形成され、前面板と裏面板の天面板、底面板の連設していない方の辺には側面板が形成され、た構造からなり、
前記スプーン部材が、前記紙製密封容器の前面板に組み込まれていることを特徴とする、請求項１記載のスプーン一体型紙製密封容器。
【請求項３】
前記スプーン部材が、前記紙製密封容器の天面板折り返し片に組み込まれていることを特徴とする、請求項１記載のスプーン一体型紙製密封容器。
【請求項４】
前記スプーン部材が、前記紙製密封容器の折り込み片に組み込まれていることを特徴とする、請求項１記載のスプーン一体型紙製密封容器。
【請求項５】
前記スプーン部材が、前記紙製密封容器の側面板に組み込まれていることを特徴とする、請求項１記載のスプーン一体型紙製密封容器。
【発明の詳細な説明】
【０００１】
【発明の属する技術分野】
本発明は、例えば、粉末洗剤等の内容物を収納し、開封前には密封されているスプーン一体型の密封紙容器に関するものである。
【０００２】
【従来の技術】
例えば、粉末洗剤等の内容物を収納し、開封前には密封されている密封紙容器が流通している。その場合、消費者の利便性を考慮して密封紙容器の中には粉末洗剤等の内容物を計量しながら取り出しが可能なプラスチック製あるいは紙製の計量スプーンが入っている。
【０００３】
プラスチック製の成形スプーンは使い勝手は良いものの、容器包装リサイクル法（正式名称「包装容器に係わる分別収集及び再商品化の促進等に関する法律」）の施行などに伴い、紙製の計量スプーンに取って代わられつつある。
紙製のスプーンは、現在は密封紙容器の天面裏側にホットメルト接着剤などで貼付されている。しかしながら、そのためには容器のほかに別部材のスプーンを用意しなければならないし、スプーンを容器本体の内側に貼付させるための設備も必要になる等の問題がある。
【０００４】
【発明が解決しょうとする課題】
本発明は、計量用スプーンが容器内部に貼付された密封紙容器に関する以上のような問題点を解決するためになされたもので、別部材のスプーンを用意する必要がなく、また、スプーン貼付用の設備を必要としないスプーン一体型の紙製密封容器を提供することを課題とする。
【０００５】
【課題を解決するための手段】
本発明の請求項１の発明は、一枚の板紙を打ち抜いて得られるブランクシートを組み立てて成る紙製密封容器であり、該ブランクシートにスプーン部材が組み込まれていることを特徴とする、スプーン一体型紙製密封容器である。
【０００６】
このように請求項１記載の発明によれば、ブランクシートにスプーン部材が組み込まれているので、容器の組立時、あるいは内容物の充填時に新たにスプーン部材を準備する必要がなく、効率的である。
【０００７】
請求項２の発明は、請求項１の発明において、前記紙製密封容器は、前面板、底面板、裏面板、天面板がそれぞれ折り曲げ線を介して連設されてなり、天面板の先端は折り曲げ線を介して前面板の表面側を覆う天面板折り返し片が形成され、前面板の先端縁には内方に折り返されて折り込み片が形成され、前面板と裏面板の天面板、底面板の連設していない方の辺には側面板が形成された構造からなり、前記スプーン部材が、前記紙製密封容器の前面板に組み込まれていることを特徴とする、スプーン一体型紙製密封容器である。
【０００８】
このように請求項２記載の発明によれば、スプーン部材が紙製密封容器の前面板に組み込まれているので、開封前はスプーン部材が表面に露出しない。
【０００９】
請求項３の発明は、請求項１の発明において、前記スプーン部材が、前記紙製密封容器の天面板折り返し片に組み込まれていることを特徴とする、スプーン一体型紙製密封容器である。
【００１０】
このように請求項３記載の発明によれば、スプーン部材が、紙製密封容器の天面板折り返し片に組み込まれているので、スプーン部材は表面に露出するため見た目に分かり易い。
【００１１】
請求項４の発明は、請求項１の発明において、前記スプーン部材が、前記紙製密封容器の折り込み片に組み込まれていることを特徴とする、スプーン一体型紙製密封容器である。
【００１２】
このように請求項４記載の発明によれば、スプーン部材が、紙製密封容器の折り込み片に組み込まれているので、スプーン部材が天面にきて開封後すぐにスプーン部材を取り出すことができる。
【００１３】
請求項５の発明は、請求項１の発明において、前記スプーン部材が、前記紙製密封容器の側面板に組み込まれていることを特徴とする、スプーン一体型紙製密封容器である。
【００１４】
このように請求項５記載の発明によれば、スプーン部材が紙製密封容器の側面板に組み込まれているので見た目に分かり易い。
【００１５】
【発明の実施の形態】
以下本発明のスプーン一体型紙製密封容器の実施の形態を更に詳細に説明する。
本発明のスプーン一体型紙製密封容器は、例えば、図１、図２に示すように、一枚の板紙を打ち抜いて得られるブランクシート（１０）を組み立てて成る紙製密封容器（１）であり、該ブランクシートにスプーン部材（２０）が組み込まれているものである。
【００１６】
スプーン部材（２０）の組み込み箇所は、図１（ａ）に示す前面板（１１）、図１（ｂ）に示す天面板折り返し片（１５）、図１（ｃ）に示す折り込み片（１６）、図１（ｄ）に示す側面板（１１１）等、いくつかの場所が考えられる。
【００１７】
【実施例】
以下にさらに具体的に実施例を記す。
〈実施例１〉
一枚の板紙を打ち抜いて得られるブランクシート（１０）として、例えば、図３に示す構造からなるものを作製した。
すなわち、折り曲げ線（ａ）を介して折り込み片（１６）、前面板（１１）、底面板（１２）、裏面板（１３）、天面板（１４）、天面板折り返し片（１５）が順次連設されている。
【００１８】
前面板（１１）の左右の両端には折り曲げ線を介してそれそれ左側面板（１１１）、右側面板（１１２）が連設されている。
【００１９】
前面板（１１）の折り込み片（１６）寄りには、折り曲げ線（ａ）と平行に切断線（ｂ）が前面板の左右端を除いて適宜の長さで穿設され、さらに、切断線（ｂ）の内側には、密封容器として組み立てた後、開封した際に、後記する天面板折り返し片（１５）に設けた係止片（１５１）が係止可能な係止孔（１１３）が穿設されている。
【００２０】
底面板（１２）の左右の両端には折り曲げ線を介してそれそれ左舌片（１２１）、右舌片（１２２）が連設されている。
【００２１】
裏面板（１３）の左右の両端には折り曲げ線を介してそれそれ左側面板（１３１）、右側面板（１３２）が連設されている。
【００２２】
天面板（１４）の左右の両端には折り曲げ線を介してそれそれ左舌片（１４１）、右舌片（１４２）が連設されている。
【００２３】
天面板折り返し片（１５）の先端部分には、中央方向に向けて繋ぎつきの切断線（ｃ）によりスプーン部材（２０）が区画形成されている。
スプーン部材（２０）の両端近傍から天面板（１４）の両端縁近傍に向けて、蓋板（１７）を区画するジッパー線（ｄ）及び半切れ線（ｅ）が設けられている。
【００２４】
そして、蓋板（１７）の先端近傍には、係止孔（１１３）に係止可能な係止片（１５１）が区画されている。
【００２５】
折り込み片（１６）は、折り曲げ線（ａ）を介して前面板（１１）の内側に折り曲げ、エマルジョン型接着剤等を使用して前面板の内側面に貼着するが、折り込み片（１６）は、防湿性、密封性の面から、係止孔や切断線が完全に隠れる幅とする必要がある。
また、折り込み片の折り曲げ易さという点から、折り込み片（１６）と前面板（１１）との境界の折り曲げ線（ａ）はつなぎ付きの全切れ線とした方が好ましい。
【００２６】
次に、このような構造を有するブランクシート（１０）から、本発明のスプーン一体型紙製密封容器に組み立てる組立方法の一例を述べる。
先ず、前面板（１１）、底面板（１２）、裏面板（１３）、天面板（１４）、天面板折り返し片（１５）を折り曲げ線（ａ）を介して順次折り曲げた後、折り込み片（１６）の内側周縁にエマルジョン型接着剤を塗り、折り込み片を折り曲げ前面板の内側に貼着すると共に、前面板（１１）の外側面と天面板折り返し片（１５）の内側面とを概ねスプーン部材（２０）と蓋板（１７）に区画されている部分を除いて、エマルジョン型接着剤を介して貼着して、ブランクシート（１０）をスリーブ状に形成させる。
【００２７】
スリーブを起こした後、左右どちらか一方の側面板と舌片を折り曲げ、えまるじょん型接着剤等で完全に接着させて底面を形成させ、もう一方の側面板側（天面）の開口部から粉末洗剤等の内容物を充填した後、底面同様に天面の側面板を折り曲げ、完全密封する。
【００２８】
このようにして作製した実施例１のスプーン一体型紙製密封容器の開封にあたっては、天面板折り返し片（１５）の先端につなぎ付き切断線（ｃ）により区画されているスプーン部材（２０）を切り離した後、その先の蓋板（１７）を持ち上げるように引っ張ると、ジッパー線（ｄ）およびその先のジッパー線と連続している半切れ線（ｅ）に沿って天面板折り返し片（１５）と天面板（１４）は破れて、天面が開口し、スプーン部材（２０）を組み立てた紙製スプーンにより内容物を容易に取り出すことができる。
このように実施例１のスプーン一体型紙製密封容器にあっては、スプーン部材（２０）が表面にあるため、見た目に分かり易い。
【００２９】
内容物を取り出した後は、蓋板（１７）を戻して係止片（１５１）を係止孔（１１３）に挿入することで蓋板は前面板（１１）に固定され、不用意に持ち上がることはなく、再封性に優れている。
係止片（１５１）の両端から折り曲げ線（ａ）と平行な谷折り線（ｆ）を設けておくことにより係止片が係止孔に挿入し易くなる。
【００３０】
【発明の効果】
このようにブランクシートにスプーンを組み込むことによって、スプーンを容器本体に貼付させるための設備が必要なく、また、貼付させるための工程を減らすことができ、生産コストの低減をはかることができる。
また、スプーンをブランクシートに組み込んだ構造にしても、組み込む位置により、板紙の使用面積を大きき変化させることがなく、逆に板紙の使用面積を減少させることもできる。
【図面の簡単な説明】
【図１】（ａ）〜（ｄ）は、本発明のスプーン一体型紙製密封容器に使用するブランクシートの一実施例を示す、模式説明図である。
【図２】本発明のスプーン一体型紙製密封容器の一実施例を示す、斜視説明図である。
【図３】本発明のスプーン一体型紙製密封容器に使用するブランクシートの一実施例を示す、展開説明図である。
【図４】本発明のスプーン一体型紙製密封容器の別の実施例を示す、斜視説明図である。
【符号の説明】
１‥‥スプーン一体型紙製密封容器
１０‥‥ブランクシート
１１‥‥前面板
１２‥‥底面板
１３‥‥裏面板
１４‥‥天面板
１５‥‥天面板折り返し片
１６‥‥折り込み片
１７‥‥蓋板
２０‥‥スプーン部材
１１１‥‥左側面板
１１２‥‥右側面板
１１３‥‥係止孔
１２１‥‥左舌片
１２２‥‥右舌片
１３１‥‥左側面板
１３２‥‥右側面板
１４１‥‥左舌片
１４２‥‥右舌片
１５１‥‥係止片
ａ‥‥折り曲げ線
ｂ‥‥切断線
ｃ‥‥つなぎ付き切断線
ｄ‥‥ジッパー線
ｅ‥‥半切れ線
ｆ‥‥谷折り線
【図１】
2004026232.tif 000003
【図２】
2004026232.tif 000004
【図３】
2004026232.tif 000005
【図４】
2004026232.tif 000006